(57)【要約】【課題】線走向と線傾斜の測定装置、及び線走向と線傾斜の測定補助装置を提供すること。【解決手段】線走向と線傾斜の測定装置は、線構造と平行に配置されるスティックと、スティックの一端部と連結され、スティックの中心軸を中心として回転可能であり、中心軸と垂直な方向に延長するヒンジ軸を有する回転ブロックと、ヒンジ軸を中心として回転可能であるように回転ブロックのヒンジ軸と結合するプレートと、ヒンジ軸に具備され、プレートが水平に配置される時に回転ブロックとプレートとが成す角度を確認して線傾斜を測定するための角度器と、プレートの上に具備され、プレートが水平に配置される時にスティックの方向を確認して線走向を測定するための羅針盤を有する測定手段と、を含む。線走向と線傾斜の測定装置は線走向と線傾斜を同時に測定することができる。【選択図】図１
2013195420.tif 000002
【特許請求の範囲】
【請求項１】
線構造(ｌｉｎｅａｔｉｏｎ)と平行に配置されるスティック（ｓｔｉｃｋ）と、
前記スティックの一端部と連結され、前記スティックの中心軸を中心として回転可能であり、前記中心軸と垂直な方向に延長するヒンジ軸を有する回転ブロックと、
前記ヒンジ軸を中心として回転可能であるように前記回転ブロックのヒンジ軸と結合するプレートと、
前記ヒンジ軸に具備され、前記プレートが水平に配置される時に前記回転ブロックとプレートとが成す角度を確認して線傾斜を測定するための角度器と、
前記プレートの上に具備され、前記プレートが水平に配置される時に前記スティックの方向を確認して線走向を測定するための羅針盤を有する測定手段と、を含むことを特徴とする線走向と線傾斜の測定装置。
【請求項２】
前記測定手段は、前記プレートの水平を確認するための水平計を更に含むことを特徴とする請求項１に記載の線走向と線傾斜の測定装置。
【請求項３】
前記角度器は前記プレートに固定されて前記プレートとともに回転し、前記回転ブロックは前記プレートに向かって前記回転ブロックと平行に突出して前記線傾斜を正確に確認するための針を更に含むことを特徴とする請求項１に記載の線走向と線傾斜の測定装置。
【請求項４】
線構造と平行に配置されるスティックと、
前記スティックの一端部と連結され、前記スティックの中心軸を中心として回転可能であり、前記中心軸と垂直な方向に延長するヒンジ軸を有する回転ブロックと、
前記ヒンジ軸を中心として回転可能であるように前記回転ブロックのヒンジ軸と結合し、線走向を測定するための測定手段を支持するプレートと、
前記ヒンジ軸に具備され、線傾斜を測定するための角度器を含むことを特徴とする線走向と線傾斜の測定補助装置。
【請求項５】
前記角度器は前記プレートに固定されて前記プレートとともに回転し、前記回転ブロックは前記プレートに向かって前記回転ブロックと平行に突出して前記線傾斜を正確に確認するための針を更に含むことを特徴とする請求項４に記載の線走向と線傾斜の測定補助装置。
【請求項６】
前記プレートは、前記測定手段を固定するための固定部材を更に含むことを特徴とする請求項４に記載の線走向と線傾斜の測定補助装置。
【発明の詳細な説明】
【技術分野】
【０００１】
本発明は線走向と線傾斜の測定装置、及び線走向と線傾斜の測定補助装置に関し、層理や葉理面の上に観察される線構造の走向と傾斜を容易に測定するための線走向と線傾斜の測定装置、及び線走向と線傾斜の測定補助装置に関する。
【背景技術】
【０００２】
一般的に、地層面の走向は羅針盤の側面を前記地層面に支持して水平を合わせてから磁針の方向を読んで測定する。前記地層面の傾斜は水平面に垂直に傾斜計を配置して角度を読んで測定する。
【０００３】
前記地層面に線形態で観察される線構造(ｌｉｎｅａｔｉｏｎ)の走向(以下、線走向という)と傾斜(以下、線傾斜という)は、前記地層面の走向と傾斜の測定方法と同一の方法で測定することができるが、正確性が顕著に低下する。特に、前記線構造の大きさが小さいと、線走向と線傾斜の測定が難しい。
【発明の概要】
【発明が解決しようとする課題】
【０００４】
本発明の目的は、先構造の走向と傾斜を容易に測定することができる線走向と線傾斜の測定装置を提供することにある。
【０００５】
本発明の他の目的は、羅針盤と水平計を用いて構造の走向と傾斜を容易に測定することができる線走向と線傾斜の測定補助装置を提供することにある。
【課題を解決するための手段】
【０００６】
本発明による線走向と線傾斜の測定装置は、線構造と平行に配置されるスティックと、前記スティックの一端部と連結され、前記スティックの中心軸を中心として回転可能であり、前記中心軸と垂直な方向に延長するヒンジ軸を有する回転ブロックと、前記ヒンジ軸を中心として回転可能であるように前記回転ブロックのヒンジ軸と結合するプレートと、前記ヒンジ軸に具備され、前記プレートが水平に配置される時に前記回転ブロックとプレートとが成す角度を確認して線傾斜を測定するための角度器と、前記プレートの上に具備され、前記プレートが水平に配置される時に前記スティックの方向を確認して線走向を測定するための羅針盤を有する測定手段と、を含むことができる。
【０００７】
本発明の一実施例によると、前記測定手段は前記プレートの水平を確認するための水平計を更に含むことができる。
【０００８】
本発明の一実施例によると、前記角度器は前記プレートに固定されて前記プレートとともに回転し、前記回転ブロックは前記プレートに向かって前記回転ブロックと平行に突出して前記線傾斜を正確に確認するための針を更に含むことができる。
【０００９】
本発明の一実施例による線走向と線傾斜の測定補助装置は、線構造と平行に配置されるスティックと、前記スティックの一端部と連結され、前記スティックの中心軸を中心として回転可能であり、前記中心軸と垂直な方向に延長するヒンジ軸を有する回転ブロックと、前記ヒンジ軸を中心として回転可能であるように前記回転ブロックのヒンジ軸と結合し、線走向を測定するための測定手段を支持するプレートと、前記ヒンジ軸に具備され、線傾斜を測定するための角度器を含むことができる。
【００１０】
本発明の一実施例によると、前記角度器は前記プレートに固定されて前記プレートとともに回転し、前記回転ブロックは前記プレートに向かって前記回転ブロックと平行に突出して前記線傾斜を正確に確認するための針を更に含むことができる。
【００１１】
本発明の一実施例によると、前記プレートは前記測定手段を固定するための固定部材を更に含むことができる。
【発明の効果】
【００１２】
本発明による線走向と線傾斜の測定装置、及び線走向と線傾斜の測定補助装置は、スティックを線構造と平行に配置し、プレートが水平である時に羅針盤の角度と、回転ブロックとプレートとの角度を用いて線走向と線傾斜を同時に測定することができる。また、前記線走向と線傾斜の測定装置、及び前記線走向と線傾斜の測定補助装置は、前記スティックを用いるので前記線構造の大きさが小さくても前記線走向と線傾斜を再現性よく便利に測定することができる。
【図面の簡単な説明】
【００１３】
【図１】本発明の一実施例による線走向と線傾斜の測定装置を説明するための側面図である。
【図２】図１に示した線走向と線傾斜の測定装置を説明するための平面図である。
【図３】図１及び図２に示した回転ブロックの部位を拡大した拡大図である。
【図４】図１及び図２に示した回転ブロックの部位を拡大した拡大図である。
【図５】本発明の一実施例による線走向と線傾斜の測定補助装置を説明するための側面図である。
【図６】図５に示された線走向と線傾斜の測定補助装置を説明するための平面図である。
【発明を実施するための形態】
【００１４】
以下、添付する図面を参照して本発明の実施例による線走向と線傾斜の測定装置と、線走向と線傾斜の測定補助装置について詳細に説明する。本発明は多様に変更することができ、多様な形態を有することができるが、ここでは、特定の実施形態を図面に例示して詳細に説明する。但し、ここでの記載は、本発明を特定の開示形態に限定するものではなく、本発明の思想及び技術範囲に含まれる全ての変更、均等物、乃至代替物を含むことを理解すべきである。各図面の説明において、類似な構成要素に対しては類似な参照符号を用いた。また、添付図面において、構造物の値数は本発明の明確性を期するために実際より拡大して示した。
【００１５】
第１、第２等の用語は、多様な構成要素を説明するために使用することができるが、構成要素は用語によって限定されない。用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。
【００１６】
本出願において用いた用語は、ただ特定の実施例を説明するためのものであって、本発明を限定するのではない。単数の表現は、文脈上、明白に相違が示されない限り、複数の表現を含む。本出願において、「含む」または「有する」等の用語は、明細書上に記載された特徴、数字、段階、動作、構成要素、部品、又はこれらを組み合わせたものが存在することを意図するものであって、一つまたはそれ以上の他の特徴や数字、段階、動作、構成要素、部品、又はこれらを組み合わせたもの等の存在または付加の可能性を予め排除しないことを理解しなければならない。
【００１７】
異なるものとして定義しない限り、技術的であるか科学的な用語を含めてここで利用される全ての用語は、本発明が属する技術分野において通常の知識を有する者によって一般的に理解されるものと同一の意味を有している。一般的に利用される辞典に定義されているもののような用語は、関連技術の文脈上で有する意味と一致する意味を有することと解釈すべきであり、本出願で明白に定義されない限り、異常的であるか過度に形式的な意味に解釈されない。
【００１８】
図１は、本発明の一実施例による線走向と線傾斜の測定装置を説明するための側面図であり、図２は、図１に示した線走向と線傾斜の測定装置を説明するための平面図であり、図３及び図４は、図１及び図２に示した回転ブロックの部位を拡大した拡大図である。
【００１９】
図１乃至図４を参照すると、線走向と線傾斜の測定装置１００はスティック１１０、回転ブロック１２０、プレート１３０、角度器１４０及び測定手段１５０を含む。
【００２０】
スティック１１０は一定の長さを有し、線構造(ｌｉｎｅａｔｉｏｎ)と平行に配置される。スティック１１０の断面は、多角形、円形などの多様な形態を有することができる。スティック１１０が一定の長さを有するので、前記線構造の長さが短くてもスティック１１０が線構造と平行に配置されることが可能である。
【００２１】
回転ブロック１２０は、スティック１１０の一端部と連結される。例えば、回転ブロック１２０は一側面に収容溝（図示せず)を有し、スティック１１０の一端部が回転ブロック１２０の収容溝に挿入されることが可能である。この際、回転ブロック１２０はスティック１１０に固定されず、スティック１１０の中心軸を基準として回転することができる。
【００２２】
回転ブロック１２０は前記一側面と反対される他側面にヒンジ軸１２２を有する。ヒンジ軸１２２はスティック１１０の中心軸と垂直な方向に延長される。
【００２３】
また、回転ブロック１２０は前記他側面に針１２４を有する。針１２４は前記他側面から回転ブロック１２０と平行な方向に突出する。針１２４は角度器１４０の角度を正確に確認するために用いられる。
【００２４】
プレート１３０は回転ブロック１２０のヒンジ軸１２２と結合する。例えば、プレート１３０は一側面に突出部１３２を有し、突出部１３２がヒンジ軸１２２と結合する。したがって、プレート１３０と回転ブロック１２０はヒンジ結合され、プレート１３０がヒンジ軸１２２を中心として回転することができる。
【００２５】
一方、プレート１３０の回転によりプレート１３０と回転ブロック１２０とが一定の角度を形成する時、プレート１３０と回転ブロック１２０とが成す角度を容易に測定するためにプレート１３０が回転した状態を維持することが望ましい。一例で、プレート１３０と回転ブロック１２０とのヒンジ結合を堅固にしてプレート１３０が回転した状態を維持するようにすることができる。他の例として、ヒンジ軸１２２を貫いて締結されるねじを具備し、前記ねじを締めることによってプレート１３０が回転した状態を維持するようにすることができる。
【００２６】
スティック１１０が前記線構造と平行に置かれた状態で回転ブロック１２０及びプレート１３０の回転を各々調節してプレート１３０が水平になるよう配置することができる。プレート１３０が水平であるのでプレート１３０は水平面と平行である。前記水平面は仮想の海水面であって重力と垂直方向の平面である。したがって、プレート１３０が水平に配置される時、スティック１１０と回転ブロック１２０がプレート１３０と成す角度は、前記線構造と前記水平面とが成す角度と同一である。即ち、回転ブロック１２０とプレート１３０とが成す角度は前記線構造の線傾斜である。
【００２７】
角度器１４０はヒンジ軸１２２と垂直にヒンジ軸１２２に配置される。例えば、角度器１４０はプレート１３０に固定され、プレート１３０とともにヒンジ軸１２２を中心として回転することができる。
【００２８】
角度器１４０はプレート１３０が水平に配置される時に回転ブロック１２０とプレート１３０とが成す角度を読み取るのに用いられる。この際、回転ブロック１２０の針１２４を用いると、回転ブロック１２０とプレート１３０とが成す角度をより正確に確認することができる。回転ブロック１２０とプレート１３０とが成す角度を読み取って前記線傾斜を確認することができる。
【００２９】
一方、角度器１４０がプレート１３０ではない回転ブロック１２０に固定され、針１２４が回転ブロック１２０ではないプレート１３０に具備されることもある。
【００３０】
測定手段１５０は羅針盤１５２を含む。羅針盤１５２は、プレート１３０の上に具備され、プレート１３０が水平に配置される時にスティック１１０の方向を測定する。スティック１１０が線構造と平行に配置され、前記水平面とプレート１３０とが平行であるので、スティック１１０の方向は前記線走向と同一である。したがって、羅針盤１５０で磁北を基準としてスティック１１０の防衛を測定することで前記線走向を測定することができる。
【００３１】
また、測定手段１５０は水平計１５４を更に含むことができる。水平計１５４はプレート１３０の上に具備され、水平計１５４を用いてプレート１３０の水平を正確に確認する。水平計１５４としては、水滴水平計などを用いることができる。
【００３２】
一例で、羅針盤１５２と水平計１５４は一体で具備することができる。他の例で、羅針盤１５２と水平計１５４は分離して具備することができる。
【００３３】
測定手段１５０はプレート１３０の上に固定されることが望ましいが、測定手段１５０はプレート１３０の上に着脱自在に具備されることも可能である。
【００３４】
線走向と線傾斜の測定装置１００は、スティック１１０を前記線構造と平行に配置することができるので、前記線走向と線傾斜を正確かつ再現性よく測定することができる。
【００３５】
そして、線走向と線傾斜の測定装置１００は、前記線構造の長さが短くてもスティック１１０を用いて線走向と線傾斜を容易に測定することができる。
【００３６】
以下、線走向と線傾斜の測定装置１００を用いた線走向と線傾斜の測定について説明する。
【００３７】
スティック１１０が線構造と平行に線走向と線傾斜の測定装置１００を地層面に装着する。回転ブロック１２０及びプレート１３０を回転してプレート１３０を水平状態で配置する。プレート１３０の水平可否は水平計１５４を用いて確認する。
【００３８】
プレート１３０が水平を維持した状態で、羅針盤１５２で磁北を基準としてスティック１１０の防衛を測定することで線走向を測定する。また、プレート１３０が水平を維持した状態で、角度器１４０で回転ブロック１２０とプレート１３０とが成す角度を測定することによって線傾斜を測定することができる。
【００３９】
図５は、本発明の一実施例による線走向と線傾斜の測定補助装置を説明するための側面図であり、図６は、図５に示した線走向と線傾斜の測定補助装置を説明するための平面図である。
【００４０】
図５及び図６を参照すると、線走向と線傾斜の測定補助装置２００は、スティック２１０、回転ブロック２２０、プレート２３０及び角度器２４０を含む。
【００４１】
スティック２１０、回転ブロック２２０、プレート２３０、及び角度器２４０についての具体的な説明は、図１乃至図４を参照したスティック１１０、回転ブロック１２０、プレート１３０及び角度器１４０についての説明と実質的に同一であるので省略する。
【００４２】
追加的に、プレート２３０は線走向とプレート２３０の水平を測定するための測定手段１０を支持する。
【００４３】
一例として、測定手段１０は、前記地層面の走向を測定するための羅針盤とプレート２３０の水平を測定するための水平計を含むことができる。この際、前記羅針盤と水平計は一体で形成することもでき、互いに分離して形成するることもできる。
【００４４】
他の例として、測定手段１０は、前記地層面の走向を測定するための羅針盤アプリケーションとプレート２３０の水平を測定するための水平計アプリケーションが設けられた携帯電話（ｍｏｂｌｉｅ  ｐｈｏｎｅ）を含むことができる。
【００４５】
測定手段１０は、プレート２３０が水平に配置される時にスティック２１０の方向を測定することができる。線構造がスティック２１０及び回転ブロック２２０と平行であり、水平面とプレート２３０に対して平行であるので、スティック２１０の方向は前記線走向と同一である。したがって、測定手段１０で磁北を基準としてスティック２１０の防衛を測定することで前記線走向を測定することができる。
【００４６】
更に、測定手段１０はプレート２３０の上に具備され、プレート２３０の水平を正確に確認することができる。
【００４７】
プレート２３０は測定手段１０を固定するための固定部材２３４を更に含むことができる。固定部材２３４は、プレート２３０の上に置かれた測定手段１０がプレート２３０から離脱しないよう固定する。例えば、固定部材２３４のクランプ、クリップ等の多様な形態を有することができる。
【００４８】
また、プレート２３０は測定手段１０を収容するための溝(図示せず)を更に含むことができる。測定手段１０が前記溝に受容されるので、測定手段１０をプレート２３０に正確に装着することができ、測定手段１０をより安定的に固定することができる。
【００４９】
線走向と線傾斜の測定補助装置２００はプレート２３０の上に線走向とプレート２３０の水平を測定するための測定手段１０を装着することによって前記線構造の線走向と線傾斜を同時に測定することができる。また、線走向と線傾斜の測定補助装置２００はスティック２１０を前記線構造と平行に配置することができるので、線走向と線傾斜を正確かつ再現性よく測定することができる。
【００５０】
線走向と線傾斜の測定補助装置２００を用いた線走向と線傾斜の測定は、プレート２３０に測定手段１０を装着した後、線走向と線傾斜の測定装置１００を用いた線走向と線傾斜の測定と同様の方法で行うことができる。
【産業上の利用可能性】
【００５１】
前述したように、線走向と線傾斜の測定装置、及び線走向と線傾斜の測定補助装置は、スティックを線構造と平行に配置してプレートが水平である時に、羅針盤の角度と、回転ブロックとプレートとの角度を用いて線走向と線傾斜を同時に測定することができる。
【００５２】
また、前記線走向と線傾斜の測定装置、及び前記線走向と線傾斜の測定補助装置は、前記スティックを用いるので前記線構造の大きさが小さくても前記線走向と線傾斜を再現性よく便利に測定することができる。
【００５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものと了解される。
【符号の説明】
【００５４】
１００    線走向と線傾斜の測定装置
１１０    スティック
１２０    回転ブロック
１３０    プレート
１４０    角度器
１５０    測定手段
【図１】
2013195420.tif 000003
【図２】
2013195420.tif 000004
【図３】
2013195420.tif 000005
【図４】
2013195420.tif 000006
【図５】
2013195420.tif 000007
【図６】
2013195420.tif 000008